(57)【要約】【課題】本体構造の大幅改造を行わず、簡単な構造でしかも電動送風機の性能も現状態で、掃除機本来の性能である吸引力を向上させる電気掃除機を提供することを目的とする。【解決手段】本体ケースと、本体ケースの後ろ側に内置される電動送風機と、前記本体ケースと前記電動送風機の中間に防振パッキンを設けた電気掃除機において、前記防振パッキンと前記電動送風機との間に、アダプタを配置し、前記アダプタと前記電動送風機との間に、環形状の気密部材を設けた。【選択図】  図５
2013106744.tif 000002
【特許請求の範囲】
【請求項１】
本体ケースと、本体ケースの後ろ側に内置される電動送風機と、前記本体ケースと前記電動送風機の中間に防振パッキンを設けた電気掃除機において、
前記防振パッキンと前記電動送風機との間に、アダプタを配置し、
前記アダプタと前記電動送風機との間に、環形状の気密部材を設けたことを特徴とする電気掃除機。
【請求項２】
請求項１に記載の電気掃除機において、
前記気密部材の直径は、前記本体ケースの直径または前記防振パッキンの接触リブの直径と略同一であることを特徴とする電気掃除機。
【請求項３】
請求項１又は請求項２に記載の電気掃除機において、
前記気密部材は複数であることを特徴とする電気掃除機。
【請求項４】
請求項１乃至請求項３の何れかに記載の電気掃除機において、
前記気密部材は、直線状の部材の両端部を接着し環状にしたことを特徴とする電気掃除機。
【請求項５】
請求項４に記載の電気掃除機において、
前記直線状の部材は、前記両端部が長手方向に対して斜めであることを特徴とする電気掃除機。
【発明の詳細な説明】
【技術分野】
【０００１】
本発明は、電動送風機を備える電気掃除機に関する。
【背景技術】
【０００２】
一般的な電気掃除機は、電動送風機の運転により吸口から吸い込んだ含塵空気を掃除機本体に導き、この掃除機本体内の集塵部を通して塵埃が捕捉され、清浄になった空気を掃除機本体外に排気する構成となっている。
【０００３】
集塵部は、紙フィルタによるろ過によって塵埃を捕捉し、清浄になった空気を掃除機本体外に排気する方式と、集塵フィルタによるろ過によって塵埃を捕捉し、清浄になった空気を掃除機本体外に排気する方式と、サイクロン分離筒による遠心分離によって清浄になった空気と塵埃とを分離し、清浄になった空気は掃除機本体外へ、塵埃は集塵フィルタを備えた集塵部へ集塵するサイクロン分離方式がある。
【０００４】
排気をより清浄にするためには塵埃を十分に捕捉する必要がある。電動送風機を通過した空気は掃除機本体外に排気されてしまうため紙フィルタ、及び集塵フィルタは電動送風機の前に設ける構成となっている。
【０００５】
また、吸込み性能の向上と騒音低減を図るために電動送風機と防振パッキンとの間に、ファンケースに設けた吸気口と同等の高さを有する壁面を設ける構成となっている。
【０００６】
また、前記電動送風機内に流入する空気の効率を高めるために例えば特許文献１に開示されているように、本体ケースと、本体ケースの後ろ側に内置される電動送風機と、本体ケースと電動送風機の中間に防振パッキンを設けた電気掃除機において防振パッキンと電動送風機との間に、アダプタを設けた技術が開示されている。
【先行技術文献】
【特許文献】
【０００７】
【特許文献１】特開２００６−７５３０７号公報
【発明の概要】
【発明が解決しようとする課題】
【０００８】
上記従来の紙フィルタ方式、及び集塵フィルタ方式の電気掃除機において、排気をより清浄に保つためには、紙フィルタ、及び集塵フィルタの目を細かいものにし、塵埃を通さないものとする必要がある。しかし目が細かいフィルタは通気抵抗が大きく、圧力損失が高くなる。圧力損失が高くなると、掃除機本来の性能である吸引力が低下し、ゴミが吸わない等の不具合が発生する恐れがある。
【０００９】
このため本体構造としては、圧力損失を低減するため、本体と接続しているホースや、その先に吸口と連結している伸縮継ぎ手管の内外径を大きくする必要があるが、ホース、伸縮継ぎ手管の径拡大は使い勝手の悪さ、本体構造の大幅変更等、使う側も造る側も非常に悪影響を及ぼす。
【００１０】
その他の方法として、電動送風機の性能向上による吸引力の低下防止策があるが、電動送風機の性能向上は非常に難しく、仮に性能向上しても騒音、振動大等の恐れが生じる。
【００１１】
特許文献１に記載の技術では、空気の乱れを防ぐアダプタを防振パッキンと電動送風機の間に設けているが、電動送風機のファンケースを製作する際に多少歪みが生じた場合、アダプタとファンケースの接触面において気密がとれず、本来の吸気口以外から電動送風機に空気が流入してしまい、吸込仕事率が低下してしまう恐れがある。
【００１２】
本発明は、吸引力を向上させる電気掃除機を提供することを目的とする。
【課題を解決するための手段】
【００１３】
本発明は、本体ケースと電動送風機の間に防振パッキンを備えた電気掃除機において、前記防振パッキンと前記電動送風機の間に、アダプタを配置し、前記アダプタと前記電動送風機との間に、環形状の気密部材を設けたことを特徴とする。
【発明の効果】
【００１４】
本発明によれば、本体構造の大幅改造を行わず、電動送風機の性能も現状態で、掃除機本来の性能である吸引力の向上させる電気掃除機を提供することができる。
【図面の簡単な説明】
【００１５】
【図１】本発明の実施例に係る電気掃除機の外観斜視図である。
【図２】本発明の実施例に係る掃除機本体の斜視図である。
【図３】本発明の実施例に係る掃除機本体の本体ケースユニットを上部から見た図である。
【図４】本発明の実施例に係る掃除機本体の断側面図である。
【図５】本発明の実施例に係る電動送風機ユニットの斜視図である。
【図６】本発明の実施例に係る接触リブと電動送風機ユニットの断側面図である。
【図７】本発明の実施例に係る気密部材の正面図である。
【発明を実施するための形態】
【００１６】
本発明の実施例を図面を引用して説明する。
【００１７】
図１は、本発明の一実施例を示す電気掃除機の外観斜視図である。図２は、この掃除機本体の斜視図である。図３は、この掃除機本体の本体ケースユニットを上部から見た図である。図４は、この掃除機本体の断側面図である。図５は、電動送風機ユニットの斜視図である。図６は、接触リブ本発明の気密部材と電動送風機ユニットの断側面図である。
【００１８】
この実施例における電気掃除機は、図１に示すように、掃除機本体１とホース２と手元操作管３と伸縮継ぎ手４と吸口５を備え、掃除機本体１と手元操作管３をホース２で接続し、この手元操作管３に伸縮継ぎ手４を介して吸口５を接続して使用する。
【００１９】
この掃除機本体１は、図２、図３に示すように、ホース２と掃除機本体１を接合するホース口継ぎ手６と電動送風機１２、電源を供給する電源コード１３を内部に有する本体ケース７、走行用の車輪８、本体ケース７内の気密を保持する上蓋９、掃除機本体１を手持ちするためのハンドル１０、電動送風機１２によって吸気した空気を機外に排気する通路である排気フィルタ１１を有する。
【００２０】
図３に示すように、電動送風機１２の吸気力による含塵空気は、吸口５から吸気することによって吸気流と共に塵埃を吸い込み、吸い込んだ含塵空気を伸縮継ぎ手４と手元操作管３、及びホース２を介して掃除機本体１に流入する。流入した含塵空気は、ホース口継ぎ手６から集塵フィルタ１４を通過し、電動送風機保護フィルタ１５を介し電動送風機１２に吸い込まれる。この時塵埃は集塵フィルタ１４、及び電動送風機保護フィルタ１５にて捕捉し、清浄になった空気は電動送風機１２を通過し、電動送風機支持部材１６を介し、排気フィルタ１１、及び車輪８から排気される。
【００２１】
図４は掃除機本体１の断側面図である。本体ケース７の下部には、走行用に車輪８とは別にキャスター１７を有し、走行の補助をしている。本体ケース７と電動送風機１２の間には、本体ケース７と電動送風機１２の気密を保持するための防振パッキン１８を有する。この防振パッキン１８は電動送風機１２運転時の振動を本体ケース７に伝達しないような役割も兼ねている。電動送風機１２は、吸引ファン部１９と電動機部２０を有し、吸引ファン部１９を前側に、電動機部２０を後側に、かつ水平に置かれるように配置される。
吸引ファン部１９の前側に備わる吸込口（電動送風機１２の吸込口、後述）は、集塵フィルタ１４の背面中央側に向くように置かれる。
【００２２】
図５は電動送風機ユニットの斜視図である。本実施例において、電動送風機ユニットは、電動送風機１２と、気密部材２５と、アダプタ３０と、防振パッキン１８と、接触リブ２４と、からなる。電動送風機１２は吸引ファン部１９に送風機吸込口２１を有し、電動機部２０に通電することにより、吸引ファン部１９内部の吸引ファン回転体２２を回転させ、送風機吸込口２１へと吸気する。送風機吸込口２１は吸引ファン回転体２２との気密を保持するため、送風機吸込口２１と吸引ファン回転体２２の間にはシールされており、送風機吸込口２１の形状はシール材を埋め込むため送風機突出部２３として突出した形状となる。
【００２３】
図１、図４、及び図５に示すように、電動送風機１２により送風機吸込口２１へと吸い込まれる吸気は、外気から直接吸い込まれるわけではなく、吸口５、伸縮継ぎ手４、ホース２、ホース口継ぎ手６を通過し、本体ケース７でその吸気流路は拡大する。本体ケース７には吸気の抵抗となる集塵フィルタ１４と電動送風機保護フィルタ１５が備えられており、電動送風機１２の吸気力を妨げている。また本体ケース７により拡大した吸気通路は、電動送風機１２の送風機吸込口２１にて吸気流路は縮小し、空気は電動送風機１２内部に取り込まれ、排気として機外に排出される。
【００２４】
この時、電動送風機１２に吸い込まれる空気は、本体ケース７による吸気流路の拡大によって空気圧拡大損失が発生し、拡大損失から電動送風機１２の吸気力の低下が発生する。これと同様に、電動送風機１２の送風機吸込口２１に吸い込まれる空気は、本体ケース７から送風機吸込口２１へと吸気流路が縮小することによって空気圧縮小損失が発生し、縮小損失から電動送風機１２の吸気力の低下が発生する。吸気による流体の概念は、管路の開口端と外部の圧力差によって空気を吸い込むことになり、直接管路の開口端に向かうことはない。このことから、電動送風機１２に吸い込まれる空気の流れは、本体ケース７から直接送風機吸込口２１に吸い込まれるもののほかに、吸引ファン部１９の表面に当たってから送風機突出部２３を乗り越えて送風機吸込口２１に流入する空気や、防振パッキン１８と吸引ファン部１９の表面に入り込んでから、送風機突出部２３を乗り越えて送風機吸込口２１に流入する空気がある。これら本体ケース７から直接送風機吸込口２１に吸い込まれる以外の空気は、気流が乱れるため乱流となり、電動送風機１２の吸気力の妨げとなる。そこで、アダプタ３０を追加し流入する空気により発生する乱流を低減して空気圧縮小損失による電動送風機１２の吸気力低減を回避した。しかし、アダプタ３０とファンケース２６の接触面において、電動送風機１２のファンケース２６を製作する際に歪みが生じた場合、気密が漏れて本来の吸気口以外から電動送風機１２に空気が流入してしまい、吸気力の妨げとなる。
【００２５】
本発明は、アダプタ３０とファンケース２６の接触面がファンケース２６を製作する際に生じた歪みにより生じた気密漏れを防止し、電動送風機１２の吸気力低減を回避するためのものである。
【００２６】
図６は、本発明の実施例に係る接触リブ２４と、電動送風機ユニットの断側面図である。アダプタ３０は一体成形品であり、その各部は電動送風機１２と防振パッキン１８間に位置するアダプタ外周円３０ａ、防振パッキン１８を取り付けた時、その表面が防振パッキン１８と同じ高さになるよう形成されたアダプタ表面３０ｂ、アダプタ表面３０ｂより前に位置され、電動送風機１２の送風機突出部２３を隠すように構成されたアダプタ突出部３０ｃ、アダプタ突出部３０ｃから電動送風機１２の送風機吸込口２１に滑らかな曲線になるよう、送風機突出部２３の径よりも大きな径を形とったアダプタ吸込口３０ｄ、電動送風機１２の送風機突出部２３と同形状に形成されたアダプタ位置合わせ３０ｅにより構成されている。
【００２７】
アダプタ３０のアダプタ外周円３０ａは、電動送風機１２と防振パッキン１８に挟まれ、本体ケース７に組み込まれた時、電動送風機１２、防振パッキン１８、アダプタ３０いずれの個所からも漏れが発生しないよう、アダプタ外周円３０ａの厚さはできるだけ薄くしている。
【００２８】
更にアダプタ外周円３０ａの先端は傾斜状になっているほうが望ましい。またアダプタ外周円３０ａの直径は、電動送風機１２の吸引ファン部１９の直径よりも小さい構成となっており、電動送風機１２、防振パッキン１８、アダプタ３０いずれの個所からも漏れが発生しないような構成となっている。
【００２９】
アダプタ３０のアダプタ表面３０ｂの高さは、防振パッキン１８の横方向の厚みと同寸法とすることによって、防振パッキン１８近辺に発生する乱流を低減する機能をもっている。
【００３０】
アダプタ３０のアダプタ突出部３０ｃは、電動送風機１２の送風機突出部２３を隠すように構成され、吸引ファン部１９の表面、またはアダプタ表面３０ｂに当たってから送風機突出部２３を乗り越えて、送風機吸込口２１に流入する空気により発生する乱流を低減する機能をもっている。アダプタ表面３０ｂとアダプタ突出部３０ｃの接線は乱流が発生しないよう、流線形状とする。
【００３１】
アダプタ３０のアダプタ吸込口３０ｄは、気流が電動送風機１２の送風機吸込口２１に滑らかに空気が入り込むよう、送風機突出部２３の径よりも大きな径を形とった形状とする。またアダプタ吸込口３０ｄの先端は、送風機吸込口２１に剥離が発生しないよう、傾斜状になっているほうが望ましい。
【００３２】
アダプタ３０のアダプタ位置合わせ３０ｅは、電動送風機１２の送風機突出部２３とアダプタ３０の位置ずれをなくすために形成されており、組み立て性を考慮し、送風機突出部２３よりも若干大きい径で構成されている。
【００３３】
アダプタ３０と電動送風機１２の間には気密部材２５が挟まれている。気密部材２５の形状は全周から漏れの無いように円環形状であることが望ましい。また、気密部材２５の径方向の大きさは、本体組み込み時において電動送風機を軸方向から見た際に、本体ケース７の接触リブ２４と防振パッキン１８の当接部と重なるように設けられることが望ましい。これにより、掃除機本体を運転させると電動送風機１２前方に負圧がかかり、本体ケース７と電動送風機１２が引き寄せあうことで防振パッキン１８と気密部材２５が圧縮され、確実に気密を確保することができる。
【００３４】
気密部材２５の材質は、例えば発砲ポリエチレンのような弾性体がよい。これにより、気密部材２５が部品の歪みに対して形状を合わせることができる。更に言えば、軟らかく独立気泡体であれば、より確実に気密をとることができる。
【００３５】
図７は気密部材２５の正面図である。なお、アダプタ３０と電動送風機の間にある気密部材２５は、円環状である。円型の抜き型で材料を抜くと中央部が無駄になってしまう。よって、図７に示すように直線状（棒状）の抜き型で抜き、棒状になった気密部材２５の両端を接着し円環状としたほうが、円形の抜き型で抜くよりも材料の使用量を減らすことができコスト低減となる。
【００３６】
また、気密部材２５の両端の接着面は斜めに切ってもよい。斜めに加工することで接着貼り付け面が増えて張りやすくなり接着力が増し確実に両端を貼り付けることができるためである。
【００３７】
また、本実施例において気密部材２５は１つで説明したが、異なる径の気密部材を複数設けても良い。これにより更に気密を確保することができる。
【００３８】
また、本実施例において気密部材２５の形状を円環形状としたが、この限りではない。
気密を確保することができればよいため、四角環形状であっても三角環形状であってもよい。
【符号の説明】
【００３９】
１  掃除機本体
２  ホース
３  手元操作管
４  伸縮継ぎ手
５  吸口
６  ホース継ぎ手
７  本体ケース
８  車輪
９  上蓋
１０  ハンドル
１１  排気フィルタ
１２  電動送風機
１３  電源コード
１４  集塵フィルタ
１５  電動送風機保護フィルタ
１６  電動送風機支持部材
１７  キャスター
１８  防振パッキン
１９  吸引ファン部
２０  電動機部
２１  送風機吸込口
２２  吸引ファン回転体
２３  送風機突出部
２４  接触リブ
２５  気密部材
３０  アダプタ
【図１】
2013106744.tif 000003
【図２】
2013106744.tif 000004
【図３】
2013106744.tif 000005
【図４】
2013106744.tif 000006
【図５】
2013106744.tif 000007
【図６】
2013106744.tif 000008
【図７】
2013106744.tif 000009